(57)【要約】  本発明は、液圧流体動力伝達装置であって、複数のチャンバを有するアクチュエータ装置であって、チャンバのそれぞれは、その内部の液圧流体を駆動するか又はそれによって駆動されるように構成されたそれぞれの流体駆動表面を有する、アクチュエータ装置と、前記複数のチャンバの１つ又は複数の第１チャンバを複数の液圧流体ソース又はシンクの１つに選択的に接続するように構成された離散化圧力制御システムであって、複数の液圧流体ソース又はシンクの少なくとも２つは、異なる流体圧力を有する、離散化圧力制御システムと、前記複数のチャンバの１つ又は複数の第２チャンバに入力されるか又はそれから出力される液圧流体の圧力又は液圧流体のフローレートを制御するように構成された連続的圧力制御システムであって、第２チャンバ内に入力されるか又はそれから出力される液圧流体の圧力又はフローレートは、それにより、それぞれ圧力又はフローレートの範囲内で可変である、連続的圧力制御システムと、離散化及び連続的圧力制御システムを制御して、それにより、前記チャンバ内の液圧流体圧力によって影響されるアクチュエータの特性を調節するように構成されたコントローラとを含む液圧流体動力伝達装置に関する。
2019507857.tif 000002
【特許請求の範囲】
【請求項１】
液圧流体動力伝達装置であって、複数のチャンバを有するアクチュエータ装置であって、前記チャンバのそれぞれは、その内部の液圧流体を駆動するか又はそれによって駆動されるように構成されたそれぞれの流体駆動表面を有する、アクチュエータ装置と、前記複数のチャンバの１つ又は複数の第１チャンバを複数の液圧流体ソース又はシンクの１つに選択的に接続するように構成された離散化圧力制御システムであって、前記複数の液圧流体ソース又はシンクの少なくとも２つは、異なる流体圧力を有する、離散化圧力制御システムと、前記複数のチャンバの１つ又は複数の第２チャンバに入力されるか又はそれから出力される液圧流体の圧力又は液圧流体のフローレートを制御するように構成された連続的圧力制御システムであって、前記第２チャンバに入力されるか又はそれから出力される前記液圧流体の前記圧力又はフローレートは、それにより、それぞれ圧力又はフローレートの範囲内で可変である、連続的圧力制御システムと、前記離散化及び連続的圧力制御システムを制御して、それにより、前記チャンバ内の前記液圧流体圧力によって影響される前記アクチュエータ装置の特性を調節するように構成されたコントローラとを含む、液圧流体動力伝達装置。
【請求項２】
前記コントローラは、前記アクチュエータ装置の前記特性に対する前記第２チャンバの寄与が、前記アクチュエータ装置の前記特性に対する前記第１チャンバの寄与と、受け取られた要求によって指示される前記アクチュエータ装置の前記特性の値との間の差を少なくとも部分的に補償するように前記離散化及び連続的圧力制御システムを制御するように構成される、請求項１に記載の液圧伝達装置。
【請求項３】
前記コントローラは、前記離散化及び連続的圧力制御システムを制御して、それにより、前記チャンバ内の前記液圧流体圧力によって影響される前記アクチュエータ装置の特性を調節して、前記アクチュエータ装置の前記特性に関する受け取られた要求又は前記受け取られた要求に準拠するように構成される、請求項１又は２に記載の液圧流体動力伝達装置。
【請求項４】
前記コントローラは、前記アクチュエータ装置の前記特性に関する前記受け取られた要求から離散化要求及び連続的要求を生成するように構成され、前記コントローラは、前記離散化要求に準拠するように前記離散化圧力制御システムを制御し、且つ前記連続的要求に準拠するように前記連続的圧力制御システムを制御するように構成される、請求項２又は３に記載の液圧流体伝達装置。
【請求項５】
前記離散化要求は、前記アクチュエータ装置の前記特性に関する前記受け取られた要求をオフセットすることによって判定される、請求項４に記載の液圧流体伝達装置。
【請求項６】
前記離散化要求は、前記第２チャンバの個々の第２チャンバから入手可能である負荷範囲の半分だけ、前記受け取られた要求をオフセットすることによって判定される、請求項５に記載の液圧流体伝達装置。
【請求項７】
前記連続的圧力制御システムは、異なる動作モードでポンプ又はモーターとして動作するように動作可能な１つ又は複数の可変容量ポンプ／モーターを含む、請求項１〜６のいずれか一項に記載の液圧流体伝達装置。
【請求項８】
前記連続的圧力制御システムは、高圧液圧流体ソースと液圧流体を交換する別のユニットとの共通シャフト構成において可変容量ポンプ／モーターを含む、請求項７に記載の液圧流体伝達装置。
【請求項９】
共通シャフトは、原動機又はエネルギーシンクに結合され、前記コントローラは、前記共通シャフトと前記原動機又はエネルギーシンクとの間のスムージングされた正味の動力転送を提供するように正味のシャフトトルクを制御するように構成される、請求項８に記載の液圧流体伝達装置。
【請求項１０】
前記連続的圧力制御システムは、前記第２チャンバと複数の液圧流体ソース又はシンクのそれぞれの１つとの間の液圧流体のフローを調節するようにそれぞれ構成される１つ又は複数の可変フロー制御弁を含む、請求項１〜６のいずれか一項に記載の液圧流体伝達装置。
【請求項１１】
前記連続的圧力制御システムは、前記第２チャンバ内への又はそれから外への液圧流体の前記圧力又はフローレートを、前記チャンバの容積の変化に応答して制御するように構成される、請求項１〜１０のいずれか一項に記載の液圧流体伝達装置。
【請求項１２】
前記連続的圧力制御システムは、前記第２チャンバの前記容積及び前記流体容積の有効体積弾性係数を考慮して圧力の望ましい変化を引き起こすように、前記第２チャンバ内への又はそれから外への前記液圧流体のフローレート又は圧力を制御するように構成される、請求項１〜１１のいずれか一項に記載の液圧流体伝達装置。
【請求項１３】
前記コントローラは、前記第２チャンバの圧力の変化を１つ又は複数の前記第１チャンバ内の圧力の対応する変化と同期させるように構成される、請求項１〜１２のいずれか一項に記載の液圧流体伝達装置。
【請求項１４】
前記チャンバの前記流体駆動表面は、前記チャンバの前記それぞれの流体駆動表面に対して液圧流体によって作用される力が加法的又は減法的であるように互いに結合される、請求項１〜１３のいずれか一項に記載の液圧流体伝達装置。
【請求項１５】
液圧流体動力を伝達する方法であって、複数のチャンバを有するアクチュエータ装置を提供するステップであって、前記チャンバのそれぞれは、その内部の液圧流体を駆動するか又はそれによって駆動されるように構成されたそれぞれの流体駆動表面を有する、ステップと、前記１つ又は複数の第１チャンバを複数の液圧流体ソース又はシンクの１つに選択的に接続するステップであって、前記複数の液圧流体ソース又はシンクの少なくとも２つは、異なる流体圧力を有する、ステップと、それぞれ圧力又はフローレートの範囲内において、前記第２チャンバ内に又はそれから外に流れる液圧流体の圧力又はフローレートを変化させることにより、前記複数のチャンバの前記１つ又は複数の第２チャンバに入力されるか又はそれから出力される前記液圧流体の圧力又はフローレートを制御して、それにより、前記チャンバ内の前記液圧流体圧力によって影響される前記アクチュエータ装置の特性を調節するステップとを含む、方法。
【発明の詳細な説明】
【技術分野】
【０００１】
本発明は、液圧流体動力伝達装置及び液圧流体動力を伝達する方法に関する。
【背景技術】
【０００２】
液圧アクチュエータによって印加される負荷は、２つの主要な方法：１つ若しくは複数のアクチュエータに対する連続的で滑らかな圧力制御、又は（滑らかに変化する関数ではなく）離散型の若しくは「量子化」された負荷ステップを生成するための、高圧と低圧との間での１つ又は複数のアクチュエータの総面積の切り替えで制御することができる。
【０００３】
アクチュエータに印加される圧力を連続的に制御する簡単な且つ一般的に使用される手段は、比例制御弁を使用してアクチュエータチャンバ内の圧力を直接的に調節することによるものである。流体は、ポンピングによって高圧に昇圧され、且つアキュムレータ内に保存される。アクチュエータを駆動する必要がある場合、比例制御弁を使用してこの圧力の多くを減圧することにより、処方された負荷又は速度でアクチュエータを駆動するためにアクチュエータに印加される中間圧力が生成される。アクチュエータが動きに抵抗しなければならない場合、制御弁は、アクチュエータ内で生成される圧力を減圧して低圧リザーバに戻す。単純であり且つ大きい瞬間的動力を潜在的に許容する一方、当然のことながら、この方式は、非常に非効率的且つ浪費的であり、なぜなら、いずれのモードでも、過剰な圧力エネルギーを熱及び雑音として散逸させることによってのみ制御を実現することができるためである。
【０００４】
別の一般的な方法は、閉じた液圧回路を使用することであり、この場合、（異なる動作モードでポンプ又はモーターとして機能するように動作可能である）単一の双方向液圧ポンプ−モーターを使用することにより、交互に、双方向アクチュエータの１つの側から流体を取得し、且つそれを他の側にポンピングする。この結果、負荷及び動きの連続的且つ高帯域幅の制御が許容されるが、瞬間的動力がポンプ−モーターのものに制限され、エネルギーの保存又はスムージングが不可能であり、且つ通常、（大部分の状況において）上述の純粋に散逸しているシステムより良好であるものの、ポンプ−モーター機械のフル瞬間動力定格と、継続的に稼働しなければならないという事実とに起因し部分負荷効率が乏しい。
【０００５】
図１に示される第３の方法は、エネルギー保存を伴う真の連続的に可変である伝達装置を生成する共通シャフト上のポンプ−モーター１０、１２の対を使用する。１つのポンプ−モーター１０は、双方向のトルクを共通シャフト１４に提供するために、その変位の制御下において高圧エネルギーストア１６と低圧リザーバ１８との間で流体を交換する。この結果、他のポンプ−モーター１２は、アクチュエータ２０との間でフローを双方向に伝達するためにこのトルクを使用し得る。従って、アクチュエータ２０とエネルギーストア１６との間で動力を伝達することができる。原動機又は発電機２２に結合された液圧ポンプ又はモーター２１をエネルギーストア１６と通信状態で提供することにより、システムの平均動力要件の総体的な動力ソース又はシンクを提供することができる。このシステムは、動力交換及び保存並びに格段に小さい原動機又は発電機定格を許容するが、回転機械の瞬間的動力及び部分負荷効率の制限を受ける。
【０００６】
（後述する量子化されたシステムがそうであるように）瞬間的動力要件について原動機又は発電機を定格設定する必要性を回避するのみならず、このシステムは、量子化されたシステムの離散ステップを伴うことなくフロー、負荷、及び動力の連続的に可変な伝達を許容する。一方、費用及び効率が主要な懸念事項ではない（例えば、オフショア昇降装置におけるもの又は大型の土木装置におけるものなどの）可動型且つ産業用の用途では一般的であるものの、従来の流体動力変換システムは、高ピーク対平均動力及び流量比が、より広い経済的推進力が付与された場合に部分負荷における高資本コスト及び高損失が受け入れ不能となることを意味する、再生可能エネルギーの用途におけるその有用な適用を妨げる基本的な欠点を有するであろう。
【０００７】
量子化された伝達装置は、通常、離散したアクチュエータ面積を能動的に加圧及び減圧するために、デジタル制御された高速動作弁を使用する。この結果、合計印加力を変化させるために、公称的に安定した圧力が滑らかな関数としてではなく、一連のステップとして印加される総面積が変化する。これは、「量子化」されたシステムと呼称され、且つ望ましい連続的システム又は機能を一連のステップによって近似するプロセスは、「量子化」と呼称される。液圧伝達装置では、このような方式は、アクチュエータとローカルエネルギーストアとの間の相対的に非常に効率的な動力伝達を伴う力の迅速な制御を提供する。エネルギーストア内の作動圧力は、第２伝達（生成／供給）システムを介して制御可能であり得る。
【０００８】
連続的な制御に対する量子化された近似は、利用可能な離散負荷ステップからリアルタイムで選択することによって実現され得る。量子化された流体動力伝達装置は、負荷支承アクチュエータの個々のエリア（例えば、液圧シリンダピストンのいずれかの側又は回転式液圧アクチュエータのポート間）と回路の高圧又は低圧部分との間のフローを許容するために、デジタル制御された液圧弁を使用する。従って、それぞれのアクチュエータ面積によって印加される正味の力と、従って全体としての負荷とは、正確なタイミングにより、異なるチャンバ圧力を順番に組み合わせることによってリアルタイムで制御され得る。
【０００９】
図２には、単純な固定変位回転式アクチュエータ３０の場合について、量子化された伝達装置の一例が示される。この例では、アクチュエータ３０の単一のアクチュエータチャンバが反対方向に動作し、アクチュエータチャンバは、電子制御された低圧及び高圧弁４０、４２のそれぞれの対３６、３８により、高圧エネルギーストア３２又は低圧リザーバ３４に選択的に接続される。アクチュエータと、それぞれのアクチュエータチャンバ内の圧力を制御するために接続される高圧又は低圧ギャラリとの間のフローを許容するように弁の開閉を切り替えることができる。アクチュエータ３０の３つの可能な負荷状態：ゼロ及びいずれかの方向における１つのステップが存在し、負荷ステップの大きさは、相対的なアクチュエータ面積（例えば、アクチュエータのピストンの流体駆動表面の面積）と、印加されたステップ圧力との関数である。利用可能な負荷及び負荷ステップの数を増大させるために、更なるアクチュエータを並列状態で追加することができる。ステップの数が大きいほど、ステップ状の負荷プロファイルは、より近接した状態で連続的負荷制御関数を近似する（但し、コンポーネントの数が大きいほど、全体的な複雑さ及び費用も増大する）。
【００１０】
量子化された伝達装置は、原動機又は発電機４４に結合された液圧ポンプ又はモーター４３に（例えば、エネルギーストア３２を介して）液圧結合され得、それにより、システムに対する総体的な動力ソース又はシンクが提供される。
【００１１】
任意の印加負荷の場合、吸収された動力は、何らの有限な変位及び非効率的な回転機械も通過することなくエネルギー保存システムとの間で伝達される。フローが通過しなければならないのは、切り替えられる入口及び出口弁並びに任意の配管接続のみである。これらは、非常にわずかな費用及び複雑さにおいて、事実上制限のないフロー可能性を受け入れるようにサイズ設定することができる。従って、量子化された伝達装置は、固定損失を有さず、且つ流体の最小限の制限を有するデジタル制御された弁の組を通してアクチュエータと動力パック（又は発電機）コンポーネントとの間のルートを提供する。この結果、第１アクチュエータ内の圧力を変化させるために従来の可変容量ポンプ／モーターを使用した設計と比較して、低い損失及び改善された効率が得られる。なぜなら、従来の可変容量ポンプ／モーターと関連する損失には、ブーストシステム内の漏洩、チャーニング、摩擦及び寄生損失が含まれ、離散作動ステップを加圧及び減圧するためにデジタル弁を使用する量子化された伝達装置にはこれらが存在しないからである。
【００１２】
更に、量子化されたシステムは、デジタル弁及び流体接続（すべてのシステムに必要とされる接続）を通した流体抵抗のみによって制限される範囲にわたって動力及びフローを伝達し得る一方、１つ又は複数のアクチュエータと適合状態で配置されたすべての可変容量ポンプ／モーターの有限の定格は、総体的な第１作動システムの動力定格も制限するはずである。後者は、動力定格及び機器の費用、サイズ及び乏しい部分負荷効率の観点で格段に大きい制限である。
【００１３】
所与の動力処理能力の場合、量子化された伝達装置を実装するために必要とされるデジタル制御マニホルドの費用は、可変容量ポンプ−モーターと比較して相対的に小さい。量子化されたシステムは、動力範囲にわたって相対的にフラットな効率を有し、（デジタル制御ソレノイドの相対的に小さい動力要件を除いて）ゼロの固定損失が存在し、フロー損失は、流体通過においてのみ存在し、且つ容積計測損失は、非常に小さいアクチュエータの動きにおいてのみ有意である。直接結合された可変容量ポンプ／モーター伝達装置は、小さい動力において過大な損失を有するであろう。所与の動力範囲を充足するように可変容量ポンプ／モーターをサイズ設定すると、可変容量ポンプ／モーターは、その動力範囲の下部に向かって非常に非効率的となる。従って、再生可能エネルギーの動力取り出しにおけるもの又はヒーブ補償システムにおけるものなど、ピーク対平均動力及びフローの大きい比率を伴う用途の場合、従来のシステムは適していない。
【００１４】
量子化された方式の主要な欠点は、連続的に可変な負荷ではなく、離散負荷ステップを適用する点にある。遷移の周辺における制限循環（要求信号に影響するステップ負荷とのやり取り及びシステムの動的応答に起因して、量子化されたシステムが２つの状態間で交互に迅速に切り替わる不安定性）を回避するために、量子化プロセスではヒステリシスが必要とされ、従って実際的なステップサイズでは、量子化プロセスは、安定した動作を維持するために、理想的な負荷信号からの大きい位相シフトを導入しなければならない。この結果、全体として、負荷及び動き制御システムの性能は、連続的負荷制御によって可能であるものを十分に下回る程度に制限される。
【００１５】
滑らかに変化するものが制御の観点で好ましい場合、液圧シリンダ内の圧力の切り替えは、ステップ状の負荷プロファイルをもたらす。負荷におけるこれらのステップは、力又は動きの制御ループで実現され得る利得に対して大きい制限をもたらし得る。多くの用途では、量子化されたシステムは、絶対的な動き制御の必要性、静的負荷を保持する必要性、及び／又は小さい慣性を有する要素の動きを滑らかに制御する要件に起因して実現可能でない。液圧アクチュエータ内で圧力を連続的に変化させることは、大部分の用途で必要とされるか又は魅力的な特徴である。これをデジタル量子化システムのみによって実現するための唯一の方法は、非常に多数の非常に小さいアクチュエータ負荷ステップを有することであるが、これは多くの用途で魅力的又は実際的ではないであろう。
【００１６】
これまでの大部分の用途では、量子化された伝達装置に存在するステップ変化よりも、アクチュエータに印加される圧力を連続的に変化させることが優先的に使用される。但し、デジタル制御された量子化されたシステムは、機器の所与の費用及びサイズにおける動力伝達装置の効率並びに動力及びフロー容量で主要な利点を提供する。量子化された伝達装置は、連続的伝達装置よりも大きい効率を潜在的に提供するが、そのステップ状の出力に起因していくつかの用途では使用することができない。
【発明の概要】
【発明が解決しようとする課題】
【００１７】
従って、改善された液圧伝達装置が望ましいであろう。
【課題を解決するための手段】
【００１８】
本発明の第１態様は、液圧流体動力伝達装置であって、複数のチャンバを有するアクチュエータ装置であって、チャンバのそれぞれは、その内部の液圧流体を駆動するか又はそれによって駆動されるように構成されたそれぞれの流体駆動表面を有する、アクチュエータ装置と、前記複数のチャンバの１つ又は複数の第１チャンバを複数の液圧流体ソース又はシンクの１つに選択的に接続するように構成された（例えば、プログラミングされた）離散化圧力制御システムであって、複数の液圧流体ソース又はシンクの少なくとも２つは、異なる流体圧力を有する、離散化圧力制御システムと、前記複数のチャンバの１つ又は複数の第２チャンバに入力されるか又はそれから出力される液圧流体の圧力又は液圧流体のフローレートを制御するように構成された（例えば、プログラミングされた）連続的圧力制御システムであって、第２チャンバに入力されるか又はそれから出力される液圧流体の圧力又はフローレートは、それにより、それぞれ圧力又はフローレートの範囲内で可変である、連続的圧力制御システムとを含む液圧流体動力伝達装置を提供する。液圧流体動力伝達装置は、通常、離散化及び連続的圧力制御システムを制御して、それにより、前記チャンバ内の液圧流体圧力によって影響されるアクチュエータ装置の特性を調節するように構成されたコントローラを更に含む。
【００１９】
通常、液圧ソース又はシンクの前記少なくとも２つは、異なる圧力を有し、それにより、それらの圧力間に離散ステップが存在する。
【００２０】
１つ又は複数の第１チャンバが複数の液圧流体ソース又はシンクの１つに選択的に接続されることに伴い、液圧流体ソースから前記第１チャンバへの又は前記第１チャンバから液圧流体シンクへの液圧流体の直接的伝達が提供される。この液圧流体は、何らの有限変位又は非効率的な回転機械を介して流れる必要もなく、これは、瞬間的動力が事実上制限されておらず、且つエネルギー損失が連続的に可変な伝達装置の場合よりも格段に小さいことを意味する。
【００２１】
第２チャンバ内に又はそれから外に流れる液圧流体の圧力又はフローレートがそれぞれ圧力又はフローレートの範囲内で制御され得ることに伴い、離散化圧力制御システムの離散ステップを伴うことなく液圧流体フロー、負荷、及び動力の連続的に可変な伝達を実現することができる。
【００２２】
離散化及び連続的圧力制御システムの両方を提供することにより、第１チャンバの圧力における離散ステップがアクチュエータ装置の前記特性に伝播されることなく、離散化圧力制御システムの効率性の利益を実現することができる。この結果、本発明の第１態様による液圧流体伝達装置は、大きい瞬間的動力フローを効率的に処理するのに特に適したものとなる。
【００２３】
通常、コントローラは、アクチュエータ装置の前記特性に対する第２チャンバ（及び通常、従って連続的圧力制御システム）の寄与が、アクチュエータ装置の前記特性に対する前記第１チャンバ（及び通常、従って離散化圧力制御システム）の寄与と、受け取られた要求によって指示されるアクチュエータ装置の前記特性の値との間の差を少なくとも部分的に（通常、連続的に）補償するように連続的圧力制御システムを制御するように（且つ通常、離散化圧力制御システムを制御するように）構成される。
【００２４】
通常、前記受け取られた要求は、アクチュエータ装置の前記特性の滑らかに変化する関数である。通常、アクチュエータ装置の前記特性に対する前記第１チャンバ（及び通常、従って離散化圧力制御システム）の寄与は、１つ又は複数のステップを含む。受け取られた要求によって指示されるアクチュエータ装置の前記特性の値と、アクチュエータ装置の前記特性に対する前記第１チャンバ（及び従って離散化圧力制御システム）の寄与との間の差を補償することにより、アクチュエータ装置の前記特性に対する前記第１チャンバの寄与におけるステップを事実上スムージングし、それにより、アクチュエータ装置の前記特性を（通常、滑らかである）受け取られた要求に従ってより正確に調節し得る。
【００２５】
通常、液圧伝達装置は、前記第２チャンバよりも多くの数の前記第１チャンバを含む。これは、１つの第２チャンバ当たり少なくとも２つ（又は少なくとも３つ）の第１チャンバが存在するということであり得る。
【００２６】
第２チャンバよりも多くの数の第１チャンバを提供することにより、液圧流体動力伝達装置の効率が改善され、なぜなら、離散化流体伝達装置は、通常、連続的流体伝達装置よりも効率的に液圧流体を伝達するからである。
【００２７】
これは、単一の第２チャンバが提供されるということであり得る。
これは、複数の第１チャンバ（通常、３つ以上の第１チャンバ、更に通常、４つ以上の第１チャンバ）が提供されるということであり得る。
【００２８】
アクチュエータ装置の前記特性は、例えば、特定の性能特性（例えば、アクチュエータ装置に供給されるか若しくはそれによって供給される運動の速度若しくはトルク）、出力トルク、出力の力、回転の速度、運動の速度、電力出力、動力入力若しくは出力、線形若しくは回転変位、アクチュエータシャフトの運動に対する抵抗力、アクチュエータ装置への若しくはそれからの流体圧力若しくは流体フローレート、又はアクチュエータ装置に対して作用するか若しくはそれによって作用される力若しくは圧力のいずれかであり得る。
【００２９】
アクチュエータ装置の前記特性は、通常、アクチュエータ装置の出力特性である。
受け取られた要求は、通常、アクチュエータ装置の前記特性に関する要求である。通常、受け取られた要求は、アクチュエータ装置の前記特性の必要とされる（例えば、ターゲットである）値を指示する受信信号である。例えば、これは、受け取られた要求が、アクチュエータ装置の性能特性（例えば、アクチュエータに供給されるか若しくはそれによって供給される運動の速度又はトルク）の必要とされるか若しくはターゲットである値を指示する受信信号、アクチュエータ装置の出力トルクの必要とされる（例えば、ターゲットである）値を指示する受信信号、アクチュエータ装置の出力の力の必要とされる（例えば、ターゲットである）値を指示する受信信号、アクチュエータ装置の回転の速度の必要とされる（例えば、ターゲットである）値を指示する受信信号、アクチュエータ装置の運動の速度の必要とされる（例えば、ターゲットである）値を指示する受信信号、アクチュエータ装置の電力出力の必要とされる（例えば、ターゲットである）値を指示する受信信号、アクチュエータ装置の動力入力若しくは出力の必要とされる（例えば、ターゲットである）値を指示する受信信号、アクチュエータ装置の線形若しくは回転変位の必要とされる（例えば、ターゲットである）値を指示する受信信号、アクチュエータ装置のアクチュエータシャフトの運動に対する抵抗力の必要とされる（例えば、ターゲットである）値を指示する受信信号、アクチュエータ装置への若しくはそれからの流体圧力若しくは流体フローレートの必要とされる（例えば、ターゲットである）値を指示する受信信号、又はアクチュエータ装置に対して作用するか若しくはそれによって作用される力若しくは圧力の必要とされる（例えば、ターゲットである）値を指示する受信信号であるということであり得る。
【００３０】
これは、受け取られた要求がユーザーからの手動制御入力から導出されるということであり得る。代わりに、これは、受け取られた要求が、自動的にコンピュータによって導出される制御入力（例えば、水の波から電力を抽出するための装置の浮力体部材の運動に対する液圧ラムの望ましい抵抗力）であるということであり得る。
【００３１】
これは、受け取られた要求が、液圧伝達装置及びアクチュエータ装置を含む手動動作液圧機械の特定の性能特性（例えば、アクチュエータ装置に供給される運動の速度又はトルク）に関する要求であるということであり得る。
【００３２】
複数の液圧ソース及びシンクは、１つ又は複数の液圧流体ソースと、１つ又は複数の液圧流体シンクとを含み得ることを理解されたい。複数の液圧ソース及びシンクは、２つ以上の液圧ソースを含み得る。複数の液圧ソース及びシンクは、２つ以上の液圧流体シンクを含み得る。
【００３３】
通常、少なくとも１つの又はそれぞれの第２チャンバは、少なくとも１つの又はそれぞれの第１チャンバのもの以上である負荷範囲を有する。通常、それぞれの第２チャンバは、第２チャンバが、制御ヒステリシス、圧力降下及び他の実のシステム効果によって実際のシステム内のステップを補正するための十分な負荷容量を有することを保証するために、１つの又はそれぞれの前記第１チャンバよりも１０〜２０％だけ大きい負荷範囲を有することができる。前記第２チャンバの負荷範囲は、要求を充足するための第２チャンバの最小寄与（例えば、最小加圧流体消費又は出力）から、要求を充足するための第２チャンバの最大寄与（例えば、最大加圧流体消費又は出力）までの範囲であることを理解されたい。
【００３４】
通常、第２チャンバに入力されるか又はそれから出力される液圧流体の圧力は、第１圧力と第２圧力との間における圧力の範囲内で可変である。これは、離散化圧力制御システムが、前記複数のチャンバの１つ又は複数の第１チャンバを複数の液圧流体ソース又はシンクの１つに選択的に接続するように構成される（例えば、プログラミングされる）ということであり得、この場合、複数の液圧流体ソース又はシンクは、前記第１圧力に等しい圧力を有する液圧流体シンクと、第２圧力に等しい圧力を有する液圧流体ソースとを含む。但し、当然のことながら、これは、離散化及び連続的圧力制御システムの圧力範囲が異なるということであり得る。例えば、第１及び第２圧力間の差は、前記液圧流体ソース及びシンク間の圧力差を上回ることができる。
【００３５】
これは、離散化圧力制御システムが１つ又は複数の第１チャンバを複数の液圧流体ソース又はシンクの１つに選択的に接続して、それにより、離散圧力値間で前記第１チャンバ内の圧力を選択的に変更するように構成されるということであり得る（前記離散圧力値は、液圧流体ソース又はシンクの圧力によって決定される）。通常、離散化圧力制御システムは、時間との関係で離散的に（即ち時間に伴って非連続的に）離散圧力値間で前記第２チャンバ内の圧力を選択的に変更するように構成される。
【００３６】
これは、連続的圧力制御システムが、時間との関係で連続的に前記複数のチャンバの１つ又は複数の第２チャンバに入力されるか又はそれから出力される液圧流体の圧力又はフローレートを制御するように構成されるということであり得る。
【００３７】
これは、連続的圧力制御システムが、連続的圧力制御システムの回転可能シャフト（例えば、可変容量ポンプ−モーター若しくは可変容量ポンプ−モーターの対の回転可能シャフト）の回転を（伝達装置から電力を取り出すために）電気に変換するように構成された発電機、及び／又は（例えば、アクチュエータ装置が負荷に対して仕事を実行することを許容するために）動力を伝達装置に提供するように構成された原動機（例えば、電気モーター若しくは内燃（例えば、ディーゼル式）機関などのエンジン）を含むということであり得る。
【００３８】
これは、液圧伝達装置が、高圧液圧流体ストアから受け取られた加圧された液圧流体を回転可能シャフトの回転に変換するように構成された可変容量液圧モーターと、電気を生成するために回転可能シャフトの前記回転によって駆動される発電機とを更に含むということであり得る。通常、前記可変容量液圧モーター及び発電機は、連続的圧力制御システムとは別個である（即ち、その一部ではない）（但し、当然のことながら、モーターは、高圧液圧流体ストア及び／又は液圧流体リザーバと通信状態にあり得、これらにも連続的圧力制御システムが選択的に接続される）。
【００３９】
これは、液圧伝達装置が、原動機（例えば、電気モーター又は内燃機関などのエンジン）と、原動機の回転可能シャフトの回転を（通常、アキュムレータなどの高圧液圧流体ストアに提供される）加圧された液圧流体に変換するように構成された可変容量液圧ポンプとを更に含むということであり得る。通常、前記原動機及び可変容量液圧ポンプは、連続的圧力制御システムとは別個である（即ち、その一部分ではない）（但し、当然のことながら、ポンプは、高圧液圧流体ストア及び／又は液圧流体リザーバと通信状態にあり得、これらにも連続的圧力制御システムが選択的に接続される）。
【００４０】
前記複数のチャンバの１つ又は複数の第２チャンバに入力されるか又はそれから出力される液圧流体のフローレートにより、本発明者らは、通常、前記１つ又は複数の第２チャンバ内に又はそれから外に流れる液体流体の容積／単位時間を意味する。但し、このフローレートは、（例えば）回転可能なクランクシャフト（これは、例えば、連続的圧力制御システムの１つ又は複数のポンプ−モーターの回転可能クランクシャフトであり、ポンプ−モーターは、異なる動作モードでモーター又はポンプとして機能するように動作可能である）の回転の１サイクル当たりの液圧流体フローの容積を制御することによって供給され得ることを理解されたい。
【００４１】
アクチュエータ装置は、通常、１つ又は複数の結合されたアクチュエータを含むことを理解されたい。また、アクチュエータ装置は、液圧流体（又はいくつかの実施形態ではこれらの混合体）を駆動し得るか、又はそれによって駆動され得ることを理解されたい。
【００４２】
通常、第２チャンバ内に入力されるか又はそれから出力される液圧流体の圧力又はフローレートは、それぞれ圧力の連続的な範囲又はフローレートの連続的な範囲内で可変である。
【００４３】
通常、連続的圧力制御システムは、前記第２チャンバに入力されるか又はそれから出力される液圧流体の圧力又はフローレートを連続的に制御するように構成される。これは、前記特性への第２チャンバの寄与が、受け取られた要求又はその受け取られた要求によって指示される前記特性の値と、前記特性に対する前記第１チャンバの寄与との間の差を少なくとも部分的に（通常、連続的に）補償するように、連続的圧力制御システムが、第２チャンバに入力されるか又はそれから出力される液圧流体の圧力又はフローレートを連続的に変化させるように構成されるということであり得る。
【００４４】
通常、第２チャンバは、第１チャンバのいずれもが第２チャンバでなく、且つ逆も真であるという意味で第１チャンバと異なる。１つ又は複数の第１チャンバは、１つ又は複数の第２チャンバと同一の構造であり得ることを理解されたい。
【００４５】
通常、コントローラは、離散化及び連続的圧力制御システムを制御して、それにより、前記チャンバ内の液圧流体圧力によって影響されるアクチュエータ装置の特性を調節して、アクチュエータ装置の前記特性に関する受け取られた要求又はその受け取られた要求に準拠するように構成される。
【００４６】
通常、コントローラは、アクチュエータ装置の前記特性に関する前記受け取られた要求から離散化要求及び連続的要求を生成するように構成され、コントローラは、離散化要求に準拠するように離散化圧力制御システムを制御し、且つ連続的要求に準拠するように連続的圧力制御システムを制御するように構成される。
【００４７】
通常、離散化要求は、アクチュエータ装置の前記特性に関する受け取られた要求を（通常、一定の量だけ）オフセットする（即ち、これに対してオフセットを適用する）ことによって判定される。通常、離散化要求は、オフセットされた要求信号を判定するために、受け取られた要求をオフセットし（即ち、これに対してオフセットを適用し）、且つ次いでオフセットされた要求信号を量子化することによって判定され、この場合、量子化は、通常、第１チャンバの数（及びそれらが動作するように構成される方向）を考慮する。
【００４８】
これは、液圧流体伝達装置が単一の第２チャンバを含むということであり得る。これは、第２チャンバがオフセット要求を判定するように動作するように（即ち、出力に寄与するように）構成されるものと反対の方向において、離散化要求が、受け取られた要求からオフセットされるということであり得る。
【００４９】
通常、離散化要求は、前記第２チャンバの個々の第２チャンバから入手可能である負荷範囲の半分だけ、受け取られた要求をオフセットする（即ち、これに対してオフセットを適用する）ことによって判定される。
【００５０】
（通常、個々の第２チャンバから入手可能である負荷範囲の半分だけ）受け取られた要求をオフセットする（即ち、これに対してオフセットを適用する）ことによって離散化要求を判定することにより、１つの方向にのみ動作する単一の第２チャンバは、要求に対する第１チャンバの寄与におけるステップを補正するようにされ得る。なぜなら、第２チャンバが連続的要求信号に準拠するための正しい意味において常に留まるように、オフセットが連続的要求信号をバイアスするからである。
【００５１】
これは、第２チャンバの数が極小化されることを許容し（例えば、単一の第２チャンバを提供することができる）、その結果、伝達装置全体の効率の増大及びその費用の低減を支援する。
【００５２】
代わりに、これは、複数の第２チャンバが提供され、前記第２チャンバの少なくとも２つは、互いに反対に機能するように動作可能であるということであり得る。この場合、受け取られた要求から離散化要求をオフセットする必要はない。但し、第２チャンバの数の増大に伴って全体としての伝達装置の効率が低減し得、及び費用も増大し得る。
【００５３】
これは、２つ以上（又は３つ以上）の前記第１チャンバが並列状態で接続されるということであり得る。これは、２つ以上（又は３つ以上）の前記第１チャンバが直列状態で接続されるということであり得る。
【００５４】
これは、２つ以上（又は３つ以上）の前記第２チャンバが並列状態で接続されるということであり得る。これは、２つ以上（又は３つ以上）の前記第２チャンバが直列状態で接続されるということであり得る。
【００５５】
通常、液圧流体伝達装置は、それぞれの第１チャンバ内の圧力を計測するように構成された１つ又は複数の圧力センサを含み、前記圧力センサは、コントローラと（通常、電子的な）通信状態にある。通常、液圧流体伝達装置は、それぞれの第２チャンバ内の圧力を計測するように構成された１つ又は複数の圧力センサを含み、前記圧力センサは、コントローラと（通常、電子的な）通信状態にある。
【００５６】
通常、液圧流体伝達装置は、それぞれの前記液圧流体ソース及び／又はそれぞれの前記液圧流体シンク内の圧力を計測するように構成された１つ又は複数の圧力センサを含み、前記圧力センサのそれぞれは、コントローラと（通常、電子的な）通信状態にある。
【００５７】
通常、前記液圧流体ソース又はシンクは、１つ又は複数の高圧液圧流体ソース又はシンクと、１つ又は複数の低圧液圧流体ソース又はシンクとを含み、高圧液圧流体ソース及びシンクは、低圧液圧流体ソース又はシンクよりも大きい液圧圧力を有する。
【００５８】
通常、コントローラは、高圧液圧流体ソース又はシンクに選択的に接続された１つ又は複数の第１チャンバを識別することによって前記第１チャンバからの出力を判定し、（通常、前記チャンバ内の圧力センサから圧力計測信号を受け取ることによって）前記識別されたそれぞれの第１チャンバ内の圧力を計測し、且つ前記第１チャンバ内の判定された圧力及び前記アクチュエータ装置の前記特性に関する前記受け取られた要求から連続的要求を導出することにより、連続的要求を判定するように構成される。
【００５９】
通常、連続的圧力制御システムは、前記１つ又は複数の前記第２チャンバに供給されるか又はそれから受け取られる液圧流体のフローレート又は圧力を判定するために、アクチュエータ装置の１つ又は複数の物理的特性を考慮するように構成される。例えば、前記物理的特性は、アクチュエータ装置の１つ又は複数のピストンの運動の速度、前記１つ又は複数の第２チャンバの容積、及び前記１つ又は複数のチャンバの容積の変化のレートの任意の１つ又は複数を含み得る。連続的圧力制御システムは、通常、前記１つ又は複数の前記第２チャンバに供給されるか又はそれから受け取られる液圧流体のフローレート又は圧力を判定するために、流体剛性などの第２チャンバ内の液圧作動流体の１つ又は複数の特性を考慮するように構成される。
【００６０】
通常、連続的圧力制御システムは、前記１つ又は複数の第２チャンバ内の（例えば、前記第２チャンバ内の圧力を計測するように構成された１つ又は複数の圧力センサによる）計測された圧力と、連続的要求（通常、上述のように、アクチュエータ装置の１つ又は複数の物理的特性を考慮する）との間の誤差を低減するために、前記第２チャンバに供給されるか又はそれから受け取られる液圧流体のフローレート又は圧力を調節するように構成される。
【００６１】
通常、連続的圧力制御システムは、異なる動作モードでポンプ又はモーターとして動作するように動作可能な１つ又は複数の可変容量ポンプ／モーターを含む。
【００６２】
通常、連続的圧力制御システムは、高圧液圧流体ソースと液圧流体を交換する別のユニットとの共通シャフト構成において（異なる動作モードでポンプ又はモーターとして動作するように動作可能である）可変容量ポンプ／モーターを含む。通常、前記別のユニットは、（異なる動作モードでポンプ又はモーターとして動作するように動作可能である）第２可変容量ポンプ／モーターを含む。
【００６３】
通常、１つ又は複数の可変容量ポンプ／モーターは、（通常、前記コントローラによる）能動的なコンピュータプログラミングされた制御下にある。
【００６４】
任意選択により、可変容量ポンプ／モーターは、（合成整流式の）可変容量ポンプ／モーターであって、通常、それぞれ循環的に変化する容積の少なくとも１つの作動チャンバ（通常、循環的に変化する容積の複数の作動チャンバ）と、高圧マニホルドと、低圧マニホルドと、少なくとも１つの作動チャンバと低圧及び高圧マニホルドとの間の流体のフローを調節する複数の弁とを含む、（合成整流式の）可変容量ポンプ／モーターである。通常、その又はそれぞれの作動チャンバと関連する少なくとも１つの弁は、作動チャンバ容積のそれぞれの連続的なサイクル中にそれぞれの作動チャンバによって変位する作動流体の正味の容積を選択するように、作動チャンバ容積のサイクルに同調した関係において動作可能な電子制御弁である。
【００６５】
通常、離散化圧力制御システムは、それぞれの前記第１チャンバと前記液圧シンク又はソースの１つとの間の流体のフローを調節する複数の電子制御可能弁を含む。それぞれの前記弁は、通常、液圧流体が前記第１チャンバと液圧流体ソース又はシンクとの間に流れ得る開放位置と、弁を通した液圧流体フローが存在していない閉鎖位置との間で動作可能である。
【００６６】
これは、共通シャフトが原動機又はエネルギーシンクに結合され、コントローラが、共通シャフトと原動機又はエネルギーシンクとの間のスムージングされた正味の動力転送を提供するように正味のシャフトトルクを制御するように構成されるということであり得る。
【００６７】
これは、連続的圧力制御システムが、前記第２チャンバと複数の液圧流体ソース又はシンクのそれぞれの１つとの間の液圧流体のフローを調節するようにそれぞれ構成される１つ又は複数の可変フロー制御弁を含むということであり得る。
【００６８】
通常、連続的圧力制御システムは、前記第２チャンバ内への又はそれから外への液圧流体の圧力又はフローレートを、（例えば、そのチャンバの容積の変化に直接的にマッチングするように）そのチャンバの容積の変化（これは、通常、外部的に駆動される）に応答して制御するように構成される。
【００６９】
通常、連続的圧力制御システムは、前記第２チャンバの容積を考慮して圧力の望ましい変化を引き起こすように、前記第２チャンバ内への又はそれから外への液圧流体のフローレート又は圧力を制御するように構成される。通常、連続的圧力制御システムは、流体容積の有効体積弾性係数を考慮して望ましい圧力の変化を引き起こすために、前記第２チャンバ内への又はそれから外への液圧流体のフローレート又は圧力を制御するように構成される。
【００７０】
通常、コントローラは、前記第２チャンバの圧力の変化を１つ又は複数の前記第１チャンバ内の対応する圧力変化と同期させるように構成される。
【００７１】
通常、前記チャンバの流体駆動表面は、チャンバのそれぞれの流体駆動表面に対して液圧流体によって作用される力が加法的又は減法的であるように互いに結合される。
【００７２】
通常、離散化圧力制御システムは、前記第１チャンバを液圧流体ソースに選択的に接続するように構成された１つ若しくは複数の入口弁、及び／又は第１チャンバ若しくは前記第１チャンバを液圧流体シンクに選択的に接続するように構成された１つ若しくは複数の出口弁を含む。
【００７３】
これは、１つ又は複数の入口弁が互いに並列状態で接続された入口弁の対を含むということであり得る。
【００７４】
これは、１つ又は複数の出口弁が互いに並列状態で接続された出口弁の対を含むということであり得る。
【００７５】
通常、それぞれの対内の弁の第１のものは、その対における弁の第２のものよりも大きい、それを通した液圧流体フローレートを許容する。
【００７６】
通常、前記弁の第２のものは、液圧流体がそれを通して流れない閉鎖状態から、液圧流体が前記弁の第１のものよりも迅速に（通常、その弁の最大液圧流体フローレートで）それを通して流れる開放状態に遷移する。
【００７７】
通常、コントローラは、１つ又は複数の第１チャンバ内の圧力を変更するために、弁の前記第１のものを開放する前に弁の前記第２のものを開放するように構成される。
【００７８】
前記弁の対の第２のものは、液圧流体ソース及び液圧流体シンクに対する接続間における第１チャンバの遷移のタイミング及び遷移プロファイルを制御し、又はこの逆も真である。即ち、前記弁の対の第２のものは、相対的に低い及び高い圧力状態間における第１チャンバの遷移のタイミング及び遷移プロファイルを制御する。従って、前記遷移のタイミング及びプロファイルを制御（例えば、減速）することにより、前記第２チャンバ内の圧力変化が第１チャンバ内の圧力変化と同期することを許容し得る。
【００７９】
本発明は、第２態様では、本発明の第１態様による液圧流体伝達装置を含む、再生可能エネルギーソースから電力を抽出するための装置に拡張される。この場合、再生可能エネルギーソースは、通常、アクチュエータ装置を駆動するように構成される。通常、アクチュエータ装置の前記特性は、再生可能エネルギーソースによって生成される運動に対するアクチュエータ装置の抵抗力に影響するアクチュエータ装置の特性である。例えば、前記特性は、アクチュエータ圧力であり得る。
【００８０】
また、本発明は、第３態様では、本発明の第１態様による液圧流体伝達装置を含む、水の波から電力を抽出するための装置に拡張される。
【００８１】
通常、装置は、浮力体部材間における相対的回転を許容する結合によって互いに接続された浮力体部材の１つ又は複数の対を含む。装置は、通常、前記アクチュエータ装置を含む動力抽出システムを含み、前記アクチュエータ装置は、アクチュエータが浮力体部材間の相対的回転に抵抗し、且つそれから動力を抽出するように、浮力体部材の前記対の第１浮力体部材に結合された第１端部と、浮力体部材の前記対の第２浮力体部材に結合された第２端部とをそれぞれ有する、１つ又は複数の結合されたアクチュエータを有する。
【００８２】
本発明は、第４態様では、本発明の第１態様による液圧流体伝達装置を含むヒーブ補償ウインチに拡張される。
【００８３】
この場合、液圧流体伝達装置は、通常、保存される液圧圧力及び／又は（電気モーターなどの）原動機からのシャフト動力をケーブルの巻取り及び巻出しの速度を変更させるケーブルに対する変化する負荷に変換するように構成される。この場合のアクチュエータ装置の前記特性は、通常、前記ケーブルに対する負荷又はケーブルの巻取り及び巻出しの速度である。
【００８４】
本発明の第５態様は、液圧流体動力を伝達する方法を提供し、方法は、複数のチャンバを有するアクチュエータ装置を提供するステップであって、チャンバのそれぞれは、その内部の液圧流体を駆動するか又はそれによって駆動されるように構成されたそれぞれの流体駆動表面を有する、ステップと、前記１つ又は複数の第１チャンバを複数の液圧流体ソース又はシンクの１つに選択的に接続するステップであって、前記複数の液圧流体ソース又はシンクの少なくとも２つは、異なる流体圧力を有する、ステップと、それぞれ圧力又はフローレートの範囲内において、前記第２チャンバ内に又はそれから外に流れる液圧流体の圧力又はフローレートを変化させることにより、前記複数のチャンバの前記１つ又は複数の第２チャンバに入力されるか又はそれから出力される液圧流体の圧力又はフローレートを制御して、それにより、前記チャンバ内の液圧流体圧力によって影響されるアクチュエータ装置の特性を調節するステップとを含む。
【００８５】
方法は、アクチュエータ装置の前記特性に対する第２チャンバ（及び通常、従って連続的圧力制御システム）の寄与が、アクチュエータ装置の前記特性に対する前記第１チャンバの寄与と、受け取られた要求によって指示されたアクチュエータ装置の前記特性の値との間の差を少なくとも部分的に（通常、連続的に）補償するように、それぞれ圧力又はフローレートの範囲内において、前記第２チャンバ内に又はそれから外に流れる液圧流体の圧力又はフローレートを変化させることにより、前記１つ又は複数の第２チャンバに入力されるか又はそれから出力される液圧流体の圧力又はフローレートを制御するステップを更に含み得る。
【００８６】
本発明の任意の態様との関係で上述した好適な且つ任意選択である特徴は、本発明のそれぞれの態様の好適な且つ任意選択の特徴である。
【００８７】
以下では、添付の図を参照し、本発明の例示的な一実施形態について例示する。
【図面の簡単な説明】
【００８８】
【図１】共通シャフト上の可変容量ポンプ−モーターの対によって可能とされた連続的圧力制御を使用する液圧伝達装置の概略液圧回路図である。
【図２】アクチュエータチャンバの対のそれぞれを高圧エネルギーストア及び低圧リザーバに選択的に接続するように構成された電子制御弁の２つの対によって可能とされた量子化された圧力制御を使用する液圧伝達装置の概略液圧回路図である。
【図３】トルク及び動力が回動点を中心として伝達されることを許容するように回動点を中心として動作する４つの液圧流体チャンバをそれぞれ有するアクチュエータの対を有するハイブリッド型の液圧伝達装置の概略液圧回路図であり、この場合、一方のアクチュエータのすべての４つのチャンバの圧力及び他方のアクチュエータの３つのチャンバの圧力は、離散化圧力制御システムによって制御され、且つ前記他方のアクチュエータの残りのアクチュエータ内の圧力は、連続的圧力制御システムによって制御される。
【図４】図３の連続的圧力制御システムによって充足されるべき要求を算出するためのアルゴリズムのブロック図である。
【図５】図４のアルゴリズムによって算出された要求を充足するために連続的圧力制御システムによって実装されるアルゴリズムのブロック図である。
【図６】例示的な量子化及び連続的圧力制御システムからの様々な要求及び出力信号を示すグラフである。
【図７】ヒーブ補償ウインチで使用される図３の液圧伝達装置を示すブロック図である。
【発明を実施するための形態】
【００８９】
図３は、トルク及び動力が回動点を中心として伝達されることを許容する、回動点を中心として動作する第１及び第２線形液圧アクチュエータ１００、１０２を含むハイブリッド型の液圧流体伝達装置の概略液圧回路図であり、この場合、第１及び第２アクチュエータ１００、１０２は、各々４つのアクチュエータチャンバ１０４、１０６、１０８、１１０及び１４１、１４２、１４３、１４４をそれぞれ有する。液圧アクチュエータ１００、１０２は、水の波からエネルギーを抽出するための装置の液圧ラムであり、この場合、アクチュエータ１００、１０２は、水体（例えば、海）内に提供された浮力体部材（図示せず）の相対的回転によって駆動され、相対的回転は、水体内の波によって生成され、浮力体部材は、浮力体部材間の相対的回転を許容し、及びシリンダ１１４内への且つそれから外へのシャフト１１２のアクチュエータ１００、１０２のそれぞれの内部における運動を生成する結合によって互いに結合され、それにより、シャフト１１２上に提供された第１及び第２ピストン１１６、１１８は、シリンダ１１４内で往復運動して作業を実行する。アクチュエータ１００、１０２のピストン１１６、１１８は、各々、それぞれのチャンバ（第１アクチュエータ１００との関係における）１０４〜１１０及び（第２アクチュエータ１０２との関係における）１４１−１４４内の液圧流体を駆動するか又はそれによって駆動されるように構成された対向するそれぞれの流体駆動表面を有する。それぞれのアクチュエータ１００、１０２のピストン１１６、１１８が互いに直列状態で動作するように、それぞれのアクチュエータ１００、１０２のピストン１１６、１１８間にディバイダ１２０が提供される。チャンバ１０４、１０６は、第１アクチュエータ１００の第１ピストン１１６のそれぞれの側に提供される一方、チャンバ１０８、１１０は、第１アクチュエータ１００の第２ピストン１１８のそれぞれの側に提供される。チャンバ１４１、１４２は、第２アクチュエータ１０２の第１ピストン１１６のそれぞれの側に提供される一方、チャンバ１４３、１４４は、第２アクチュエータ１０２の第２ピストン１１８のそれぞれの側に提供される。チャンバ１０４〜１１０、１４１〜１４４内の圧力は、液圧ラムによって抽出されるエネルギーを極大化するために、それぞれのアクチュエータ１００、１０２のシリンダ１１４内のピストン１１６、１１８の運動の抵抗力を制御するように制御される。
【００９０】
第１アクチュエータ１００の３つのチャンバ１０４、１０６、及び１０８、並びに第２アクチュエータ１０２のすべての４つのチャンバ１４１〜１４４（以下では第１チャンバと呼称する）は、それぞれのチャンバ１０４〜１０８、１４１〜１４４とアキュムレータ１２０及びリザーバ１２２との間に結合されるそれぞれの液圧流体ライン及び電子制御弁のそれぞれのバンク１２４により、高圧液圧流体アキュムレータ１２０及び低圧液圧流体リザーバ１２２に選択的に接続される。従って、バンク１２４は、離散化圧力制御システムとして動作する。電子制御弁のバンク１２４のそれぞれは同一であり、従って、簡潔性を目的として、以下では、第１アクチュエータ１００のチャンバ１０４とアキュムレータ１２０及びリザーバ１２２との間に結合されるバンク１２４についてのみ説明する。
【００９１】
バンク１２４は、並列状態で構成され、且つチャンバ１０４をアキュムレータ１２０に選択的に接続するように構成された第１及び第２電子制御高圧弁１２６、１２８を含む。高圧弁１２６、１２８のそれぞれは、液圧流体がそれを通してチャンバ１０４とアキュムレータ１２０との間に流れ得る開放状態と、液圧流体がそれを通してチャンバ１０４とアキュムレータ１２０との間に流れることができない閉鎖状態とを有する。第１高圧弁１２６は、開放状態にある場合、第２高圧弁１２８よりも大きい、それを通した流体フロー面積を有する。図３では、これは、第２高圧弁１２８と直列状態にある液圧インピーダンスによって示される。第２高圧弁１２８は、（例えば、第１高圧弁１２６のものよりも小さい断面積を有する弁部材を有することによって）第１高圧弁１２６よりも迅速にその開放及び閉鎖状態間で遷移する能力を有するが、第２高圧弁１２８を通した（開放時の）最大流体フローレートは、第１高圧弁１２６を通した（開放時の）最大流体フローレートを下回る。
【００９２】
バンク１２４は、並列状態で構成され、且つチャンバ１０４をリザーバ１２２に選択的に接続するように構成された第１及び第２電子制御低圧弁１３０、１３２を更に含む。第１低圧弁１３０は、その開放状態にある場合、第２低圧弁１３２よりも大きい、それを通した流体フロー面積を有する。図３では、これは、第２高圧弁１３２と直列状態にある液圧インピーダンスによって示される。第２低圧弁１３２は、（例えば、第１低圧弁１３０のものよりも小さい断面積を有する弁部材を有することによって）第１低圧弁１３０よりも迅速にその開放及び閉鎖状態間で遷移する能力を有するが、第２低圧弁１３２を通した（開放時の）最大流体フローレートは、第１低圧弁１３０を通した（開放時の）最大流体フローレートを下回る。
【００９３】
バンク１２４は、キャビテーションを防止するために、例えば、チャンバ１０４の容積が（シャフト１１２及びピストン１１６の運動によって）増大する際、チャンバ１０４内の圧力を少なくとも低圧リザーバ（これは、大気圧超に昇圧され得る）内の圧力に維持するために、チャンバ１０４を低圧リザーバ１２２に選択的に接続するように動作可能な大断面フロー面積低圧逆止弁１３４を更に含む。逆止弁１３４は、チャンバ１０４内の圧力がリザーバ１２２の圧力未満に低下した際に開放するように構成される。
【００９４】
バンク１２４の弁は、アキュムレータ１２０に接続された際の高圧状態とリザーバ１２２に接続された際の低圧状態との間において、チャンバ１０４のタイミング及び遷移プロファイル（即ち、圧力が時間に伴って変化する方式）を制御する。更に詳細には、第２低圧又は高圧弁１２８、１３２は、圧力遷移を徐々に開始するために最初に開放する。圧力遷移が進行する際、第１及び第２低圧又は高圧弁の組合せを通したフルレートの液圧流体フローを許容し、それにより、圧力遷移を完了させるために、第１低圧又は高圧弁１２８、１３２が開放される。この結果、システムに対して衝撃をもたらし得る極めて迅速で大きい圧力遷移の発生が防止される。加えて、遷移のタイミングプロファイルは、通常、チャンバ１１０内の圧力変化が第１チャンバ１０４〜１０８、１４１〜１４４の１つ又は複数の内部の圧力変化と同期することを許容し、且つ全体システムの性能及び精度を最適化するように制御される。通常、実際に、低圧及び高圧状態間のチャンバ１０４の遷移のタイミングプロファイルは、チャンバ１０４の制御レイテンシーがチャンバ１１０の制御レイテンシーを上回ることを保証する。
【００９５】
バンク１２４の弁は、通常、弁と電子的通信状態で提供されたコントローラ１４０によって制御される電子制御ソレノイド弁である。コントローラ１４０は、ソレノイドをターンオン及びオフすることにより、弁を選択的に開放及び閉鎖するように動作し、弁は、スプリングなどの（通常、受動的な）付勢メカニズムによって開放又は閉鎖位置に対して付勢される。従って、低圧及び高圧弁のバンク１２４は、第１チャンバ１０４〜１０８、１４１〜１４４をアキュムレータ１２０及びリザーバ１２２に選択的に接続するように構成されたコントローラ１４０の制御下にある離散化制御システムの一部分である。コントローラは、通常、コンピュータプログラムコードを実行するように構成された１つ又は複数のコンピュータプロセッサを含む。これは、コントローラ１４０が複数のプロセッサにわたって分散されるということであり得る。
【００９６】
発明の背景で説明したように、この離散化制御方法の単独での使用は、望ましくないステップ状の出力をもたらす。
【００９７】
チャンバ１１０（以下では第２チャンバと呼称される）は、共通シャフト１５１によって第２可変容量液圧ポンプ−モーター１５２に結合された第１可変容量液圧ポンプ−モーター１５０を含む連続的圧力制御システムに接続され、この場合、可変容量液圧ポンプ−モーター１５０、１５２は、それぞれ異なる動作モードでポンプ又はモーターとして機能するように動作可能である。また、可変容量液圧ポンプ−モーター１５０、１５２は、（発電機１５４を駆動するように動作可能である）共通シャフト１５１を介して発電機１５４に結合される。チャンバ１１０と連続的圧力制御システムとの間の接続は、液圧ライン１６０によるものであり、且つチャンバ１１０は、コントローラ１４０によって制御され、且つそれと電子的通信状態にある電子制御弁１６２により、低圧リザーバ１２２にも選択的に接続される。弁１６２は、チャンバ１１０内の圧力が（キャビテーションを防止するために）リザーバ１２２内の圧力未満に降下した場合、ポンプ−モーター１５０、１５２からチャンバ１１０内への又はそれから外へのフローを不可能にするために、受動的に又はコントローラ１４０のコマンドに基づいて能動的に開放する。
【００９８】
第２チャンバ１１０内の圧力要件に応じて、第１及び第２可変容量液圧ポンプ−モーター１５０、１５２の１つは、（チャンバ１１０から又はアキュムレータ１２０から受け取られた）高圧流体をシャフト１５１上のトルクに変換し、且つ低圧流体をリザーバ１２２に出力するようにモータリングモードで動作する。第１及び第２可変容量液圧ポンプ−モーター１５０、１５２の他方は、シャフトのトルクをアキュムレータ１２０又はチャンバ１１０に提供される加圧流体に変換するようにポンピングモードで動作する。液圧ポンプ−モーター１５０、１５２の変位は、（通常、連続的である）範囲にわたって可変の圧力を有する第２チャンバ１１０からの液圧流体を消費するか、又はそれに液圧流体を提供するようにそれぞれの場合に変化され得る。
【００９９】
連続的圧力制御システムが、チャンバ１１０からの高圧流体を消費することが必要とされる場合、第１可変容量液圧ポンプ−モーター１５０は、モータリングモードで機能し、それによりチャンバ１１０からの高圧流体をシャフト１５１上のトルクに変換することを理解されたい。第２可変容量液圧ポンプ−モーターは、ポンピングモードで動作し、それによりシャフト１５１からのトルクをアキュムレータに提供される高圧流体に変換する。加えて、シャフト１５１上のトルクの一部分は、発電機１５４によって電気に変換される。これは、動力の生成に必要とされる回転機械の数の低減を支援し、それにより動力生成の効率の改善を支援する。また、ポンプ−モーター１５０、１５２は、シャフトの起動及び速度制御のための効率的な手段を提供する。消費される高圧流体の量は、液圧ポンプ−モーターの変位を調節することによって制御することができる。
【０１００】
連続的圧力制御システムがチャンバ１１０に高圧流体を提供することが必要とされる場合、第２可変容量液圧ポンプ−モーター１５２は、モータリングモードで機能し、それによりアキュムレータ１２０からの高圧液圧流体をシャフト１５１上のトルクに変換する。この場合、第１可変容量液圧ポンプ−モーター１５０は、ポンピングモードで機能し、それによりシャフト１５１上のトルクをチャンバ１１０に提供される加圧液圧流体に変換する。提供される高圧流体の量は、液圧ポンプ−モーター１５０、１５２の変位を調節することによって制御することができる。
【０１０１】
実際に、第２チャンバ１１０内の圧力は、アクチュエータシャフト１１２の動きの結果としてチャンバ１１０が提供又は吸収する「幾何学的フロー」にマッチングするために必要とされるフローをわずかに下回るか又は上回るものを必要とするポンプ−モーター１５０、１５２によって制御される。「幾何学的フロー」は、アクチュエータシャフト１１２の動きの結果としてのチャンバ１１０の容積の増大又は減少を考慮して、チャンバ１１０内で一定の圧力を維持するために必要とされるフローである。ポンプ−モーター１５０、１５２が、チャンバ１１０からのフローを吸収し、且つ生成される「幾何学的フロー」をわずかに下回るフローを吸収する場合、チャンバ１１０内の圧力は上昇する。逆に、ポンプ−モーター１５０、１５２が、幾何学的フローをわずかに上回るものを吸収する場合、第２チャンバ１１０内の圧力は降下する。アクチュエータ１００がポンプ−モーター１５０、１５２からのフローを吸収する逆の場合、ポンプ−モーター１５０、１５２が、必要とされる「幾何学的フロー」よりも大きいフローをチャンバ１１０に提供する場合、チャンバ１１０内の圧力は、上昇する。ポンプ−モーター１５０、１５２が、幾何学的フローを下回るものを提供する場合、チャンバ１１０内の圧力は降下する。アクチュエータが静止する場合、当然のことながら、「幾何学的フロー」は存在せず、従って、ポンプ−モーター１５０、１５２は、チャンバ１１０を加圧するためのわずかなフローを供給する必要があるのみである。ポンプ−モーター１５０、１５２がチャンバ１１０に対する連続的圧力制御と、これによる連続的負荷制御とを供給し得るのは、このメカニズムを通した結果である。
【０１０２】
一例では、可変容量ポンプ−モーター１５０、１５２は、（合成整流式の）１つ又は複数の可変容量ポンプ／モーターであって、それぞれ循環的に変化する容積の少なくとも１つの作動チャンバ（通常、循環的に変化する容積の複数の作動チャンバである）と、高圧マニホルドと、低圧マニホルドと、少なくとも１つの作動チャンバと低圧及び高圧マニホルドとの間の流体のフローを調節する複数の弁とを含む、（合成整流式の）１つ又は複数の可変容量ポンプ／モーターを含み、その又はそれぞれの作動チャンバと関連する少なくとも１つの弁は、作動チャンバ容積のそれぞれの連続的なサイクル中にそれぞれの作動チャンバによって変位する作動流体の正味容積を選択するために、作動チャンバ容積のサイクルに対して同調した関係において動作可能な電子制御弁である。連続的圧力制御システムによって消費又は提供される加圧流体の量は、（ポンプ−モーターのそれぞれの弁の開放及び閉鎖を制御することによって）作動チャンバ容積のそれぞれのサイクルでポンプ−モーター１５０、１５２の作動チャンバを起動又は停止することにより、コントローラ１４０によって変化され得る。
【０１０３】
浮力体部材の相対的回転によって生成されるシャフト１１２の運動に対するアクチュエータ１００の望ましい抵抗力は、（受け取られた要求として機能する）コンピュータによって導出された負荷要求信号の形態でコントローラ１４０に提供される。第１チャンバ１０４〜１０８、１４１〜１４４、及び第２チャンバ１１０は、負荷要求を充足するように機能する。後述するように、負荷要求を充足するための第２チャンバ１１０（及び連続的圧力制御システム）の寄与は、受け取られた要求と、負荷要求を充足するための第１チャンバ１０４〜１０８、１４１〜１４４（及び従って離散化圧力制御システム）の寄与との間の差を少なくとも部分的に（好ましくは、十分に）補償するように選択することが可能であり、それにより、第１チャンバ１０４〜１０８、１４１〜１４４（及び従って離散化圧力制御システム）の寄与によってもたらされる抵抗力プロファイルにおけるステップが大幅に低減（好ましくは除去）される。
【０１０４】
図６に示されるように、コントローラによって受け取られる要求１８０は、滑らかな曲線である。コントローラ１４０は、要求信号１８０から離散化負荷要求２２０（これも図６に示される）を生成するように構成され、離散化要求２２０は、第１チャンバ１０４〜１０８、１４１〜１４４が充足する必要がある要求の一部分である。コントローラ１４０は、第１チャンバ１０８、１４１〜１４４が主負荷及び動力フローを提供するように、第１チャンバ１０４、１４１〜１４４が可能な限り離散化要求２２０を充足するように構成される。第１チャンバ１０４〜１０８、１４１〜１４４によって供給される負荷と、受け取られた要求１８０との間の差又は誤差は、第２チャンバ１１０が供給するべき連続的要求２２２を形成する。
【０１０５】
この例では、（単一の）第２チャンバ１１０は、１つの方向に（図３の図では左に）のみ力を提供するように動作可能である。１つの方向にのみ機能する単一の第２チャンバ１１０は、第２チャンバ１１０がオフセット要求１８１を生成するために能動的な力を提供するように構成されるものと反対の方向において、第２チャンバ１１０の負荷範囲の（通常）半分だけ、受け取られた要求１８０をオフセットし（即ち、これに対してオフセットを適用し）（第２チャンバの負荷範囲は、要求を充足するための第２チャンバ１１０の最小寄与から、要求を充足するための第２チャンバ１１０の最大寄与までの範囲である）、且つ次いでオフセット要求１８１を量子化して離散化要求２２０を生成することにより、離散化要求２２０を生成することによって離散化システムにおけるステップを補正するようにされ得る。この結果、補正信号は、第２チャンバ１１０の補正のための正しい意味において常に留まるようにバイアスされる。更に明らかにするために、図６にこの方式及び効果が明瞭に示される。受け取られた要求信号１８０は、連続的要求２２２の最大及び最小範囲から観察され得る第２チャンバの範囲の半分だけ下方にオフセットされる。これは、（この例では）連続的要求２２２が本質的に正の状態に且つ第２チャンバ１１０によって適用され得る負荷範囲内に留まっていることを意味する。
【０１０６】
アクチュエータ１００が回転式アクチュエータである代替実施形態では、アクチュエータチャンバ内への且つそれから外への流体フローの方向は、上述の方式に対する代替形態として必要に応じて逆転され得る。
【０１０７】
１つの方向に力を提供するように動作可能な少なくとも１つの第２チャンバ１１０（即ち、それに関連して、連続的に制御された圧力を有する液圧流体がそれに対して提供されるか又はそれから消費される、少なくとも１つのチャンバ）が提供され、且つ反対方向に力を提供するように動作可能な少なくとも１つの第２チャンバ１１０が提供される場合、連続的に圧力制御されたチャンバは、いずれの方向でも、離散的に圧力制御されたチャンバ１０４〜１０８、１４１〜１４４間の誤差を補償するように機能し得ることから、受け取られた要求から離散化要求をオフセットすることが不要となることを理解されたい。
【０１０８】
図３に示される回動軸を中心とした（アクチュエータ１００、１０２間の双頭矢印の端部間における）浮力体部材の相対的な時計回りの動きが存在する場合、第１アクチュエータ１００は後退し（図３の図では、第１アクチュエータ１００のシャフト１１２が右に移動する）、且つ第２アクチュエータは伸長する（図３の図では、第２アクチュエータ１０２のシャフト１１２が左に移動する）。この場合、第１アクチュエータ１００の第１チャンバ１０４、１０８の容積は増大し、且つ第１アクチュエータ１００の第１チャンバ１０６及び第２チャンバ１１０の容積は減少する。第２アクチュエータ１０２の第１チャンバ１４１、１４３の容積は増大し、且つ第２アクチュエータ１０２の第１チャンバ１４２、１４４の容積は減少する。浮力体部材の相対的な反時計回りの動きが存在する場合、当然のことながら、この反対も真である。いずれの場合でも、第１及び第２アクチュエータ１００、１０２のシャフト１１２が運動するのに伴い、コントローラ１４０は、離散化要求２２０を充足するために、（それぞれ第１チャンバをリザーバ１２２又はアキュムレータ１２０に選択的に接続することにより）低圧又は高圧としてそれぞれの第１チャンバ１０４〜１０８、１４１〜１４４の圧力を選択するように、それぞれの第１チャンバ１０４〜１０８、１４１、１４４と関連する弁ブロック１２４内の高圧及び低圧弁の状態を制御する。第１チャンバ１０４〜１０８、１４１〜１４４のそれぞれの内部の圧力は、浮力体部材の相対的回転によって生成されるアクチュエータ１００、１０２のシャフト１１２の運動に抵抗するか又はそれを支援するように制御することができるが、全体的な目的は、相対的回転がアキュムレータ１２０への正味のフローをもたらす（且つ動力がシステムから抽出されることを可能にする）ことであることを理解されたい。
【０１０９】
また、第２チャンバ１１０内の圧力は、ポンプ−モーター１５０、１５２からチャンバ１１０内に流れる作動流体の圧力及び／又は容積を制御することにより制御される。但し、上述のように、第１チャンバ１０４〜１０８、１４１〜１４４内の圧力は、アキュムレータ１２０の圧力又はリザーバ１２２の圧力に制限される一方、第２チャンバ１１０内の圧力は、ポンプ−モーター１５０、１５２により、連続的な値の範囲内で制御可能である。この特性を使用することにより、第１チャンバ１０４〜１０８、１４１〜１４４の離散化圧力制御システムの利益（例えば、改善された効率）の多くを保持しつつ、第１チャンバ１０４〜１０８、１４１〜１４４によって提供される出力におけるステップをスムージングし、それにより出力の品質を全体として改善することができる。
【０１１０】
第１チャンバ１０４〜１０８、１４１〜１４４によって提供される出力におけるステップをスムージングするための連続的要求２２２を算出するために、コントローラ１４０は、第１チャンバ１０４〜１０８、１４１〜１４４内の圧力センサから圧力計測信号を受け取り、且つチャンバ１０４〜１０８、１４１〜１４４のいずれが要求に寄与するかを識別し、且つ受け取られた圧力計測及び前記識別から連続的要求２２２を導出するように構成される。図４に示されるように、連続的要求２２２は、通常、第１アクチュエータ１００のピストン１１８の関連する流体駆動表面の面積を考慮して、受け取られた負荷要求からチャンバ１０４〜１０８、１４１〜１４４の計測された（ステップ状の）寄与を減算することにより導出される。
【０１１１】
図５は、連続的要求を充足するために、連続的圧力制御システム（及び従って第２チャンバ１１０内の圧力）を制御するようにコントローラ１４０によって実装される例示的なアルゴリズムのブロック図である。アルゴリズムは、第２チャンバ１１０内の計測された圧力１９４（これは、通常、第２チャンバ１１０内の圧力を計測するように構成された圧力センサによって計測され、この場合、圧力センサ１１０は、コントローラ１４０と電子的通信状態にある）も別の入力として受け取る差分演算子１９２への入力として連続的圧力要求２２２を受け取っており、この場合、差分演算子１９２は、差分信号１９６を提供するために、連続的圧力要求２２２から計測された圧力１９４を減算するように構成される。このフィードバックループは、連続的圧力要求２２２を充足するために、第２チャンバ１１０の圧力における小さい誤差を補正するように微細な制御を提供する。
【０１１２】
差分信号１９６は、（この例では）比例積分（ＰＩ）制御ブロック１９８に入力され、次いで比例積分制御ブロックが制御信号１９９を加算演算子２００に提供する。また、加算演算子２００には、第２チャンバ１１０への又はそれからの必要とされるフローを判定するために、アルゴリズムがアクチュエータシャフト１１２の動き（例えば、第２チャンバ１１０の容積２０４の変化のレート）の計測（例えば、速度、加速度の計測）及び第２チャンバ１１０の容積のコンプライアンスの知識（即ち、チャンバ１１０の容積２０６及び液圧作動流体の剛性２０８）を考慮することを可能にする入力２０２も提供される。例えば、アクチュエータシャフト１１２の動きの計測を使用することにより、アルゴリズムは、アクチュエータシャフト１１２の動きを考慮して、チャンバ１１０における一定の圧力を維持するために必要とされるフローレートを判定することができる。第２チャンバ１１０の容積のコンプライアンスの知識を使用することにより、アルゴリズムは、所与の圧力変化を実現するために必要とされる作動圧力における流体容積の変化を判定することができる。図５に示されるように、第２チャンバ１１０の容積のコンプライアンスの知識は、時間との関係において連続的圧力要求を微分し、且つ微分された連続的圧力要求を流体剛性によって除算されたチャンバ１１０の容積によって乗算することにより、考慮することができる。次いで、これは、アクチュエータ容積の変化のレートと共に加算演算子２００に対して入力２０２を提供するために考慮される。
【０１１３】
加算演算子２００の出力は、フロー要求に可能な限り近接した状態で第２チャンバ１１０への又はそれからの液圧流体のフローレートを供給するフロー要求信号としてポンプ−モーター１５０、１５２に供給される。第２チャンバ１１０内に又はそれから外に流れる液圧流体のフローレートは、通常、単位時間当たりの第２チャンバ内に又はそれから外に流れる液圧流体の容積を意味するが、これは、回転可能なシャフト１５１の回転の１サイクル当たりのポンプ−モーター１５０、１５２への又はそれからの液圧流体フローの容積を制御することにより、供給され得ることを理解されたい。供給されるフローレートは、（第１アクチュエータ１００のアクチュエータシャフト１１２の外部誘発された動き２３２によって決定される）チャンバ１１０の容積２３０と共に第２チャンバ１１０内の圧力を決定する。
【０１１４】
一代替実施形態では、チャンバ１１０内の圧力は、ポンプ−モーター１５０、１５２に連続的圧力要求信号を提供することにより制御することが可能であり、従って、この場合、ポンプ−モーター１５０、１５２は、圧力要求信号を充足するために、且つ（例えば、作動チャンバを起動又は停止することによって）変位を制御するために、チャンバ１１０内への又はそれから外への液圧流体の必要とされるフローレートを判定するように動作可能であることを理解されたい。
【０１１５】
この開放及び閉鎖ループ制御の組合せは、第２チャンバ１１０が、第１チャンバ１０４〜１０８、１４１〜１４４による全体要求に対する寄与と、全体要求自体との間の差を正確に補正し、それにより第１チャンバ１０４〜１０８、１４１〜１４４からの寄与におけるステップの効果を低減（好ましくは除去）することを可能にする。
【０１１６】
上述のように、図６は、離散化負荷要求２２０及び連続的要求２２２（これは、第１チャンバ１０４〜１０８、１４１〜１４４によって供給される負荷と、全体要求１８０との間の誤差である）を示す。また、図６には、要求が飽和に起因して充足され得ない（即ち、要求がアクチュエータ１００の能力を超過する）部分２２４ａ以外の全体要求１８０に忠実に準拠する（且つ従ってその上部にオーバーレイされる）、チャンバ１０４〜１１０、１４１〜１４４によって提供される全体出力２２４も示される。
【０１１７】
再度図３を参照すると、ポンプ−モーター１５０、１５２間にシステム圧力逃し弁１６９が接続される。更なるシステム圧力逃し弁１７１がリザーバ１２２とアキュムレータ１２０との間に提供される。加圧された流体をアキュムレータ１２０から受け取り、且つアキュムレータ１２０からの受け取られた加圧流体を、電気エネルギーを生成するために発電機１７２を駆動するシャフト１７４上のトルクに変換するように構成された可変容量モーター１７３を介して、更なる発電機１７２がアキュムレータ１２０に接続される。
【０１１８】
通常、バンク１２４内の弁は、第２チャンバ１１０との組合せで最良の全体応答を提供するように選択及びチューニングされる。例えば、バンク１２４内の弁は、第１チャンバ１０４〜１０８、１４１〜１４４内で作用する圧力の変化のピークレートが第２チャンバ１１０によってマッチングされ得るように選択され得る。この結果、第２チャンバ１１０の寄与は、負荷に対して第１チャンバ１０４〜１０８、１４１〜１４４によってもたらされるステップ変化を補償することができる。
【０１１９】
コントローラ１４０は、当然のことながら、全体出力が滑らか且つ制御された状態に留まることを保証するために、且つ（例えば）過負荷又は突然の停止を防止するために制約を含むことができる。いくつかの用途では、コントローラ１４０は、要求信号１８０が全体として液圧伝達装置の能力を超過することを回避するように制約を適用することができる。コントローラ１４０は、第２チャンバ１１０の負荷範囲内に位置するように合計負荷の変化のレートを制限し得、この負荷範囲は、そのフロー範囲制限及びその容積のコンプライアンスの関数である。コントローラ１４０は、同様に、第２チャンバ１１０の負荷範囲内に位置するように、第１チャンバ１０４〜１０８、１４１〜１４４内で作用する圧力の変化のピークレートを制約するように構成することもできる。
【０１２０】
フロー及び動力の大部分が第１チャンバ１０４〜１０８、１４１〜１４４（及び従って別個の圧力制御システム）によって処理されるという事実と、第２チャンバ１１０を通した大きい瞬間的動力が（原動機又は発電機を通してではなく）２つのポンプ−モーター１５０、１５２間で直接的に交換されるという事実とに起因して、本明細書に開示される液圧伝達装置は、非常に高いシステム効率を維持しつつ、大きい瞬間的動力フローを処理するのに特に適したものとなる。
【０１２１】
本明細書に記述される本発明の範囲内において、更なる変更形態又は変形形態がなされ得る。
【０１２２】
例えば、水の波からエネルギーを抽出するための装置は、正味のフローをアキュムレータ１２０に提供する（且つ発電機１５４、１７２によってシステムからエネルギーを抽出する）ことを目的とするが、本明細書に記述される液圧伝達装置は、アキュムレータ１２０からの正味のフローを生成するアクチュエータシステム（即ち、負荷に対して作業を実行するように液圧伝達装置からの液圧流体によって駆動されるアクチュエータシステム）に対しても等しく適用可能である。この場合、発電機１５４は、通常、動力をシステムに追加するようにディーゼルエンジン又は電気モーターなどの原動機によって置換される。加えて又は代わりに、発電機１７２及び可変容量液圧モーター１７３も、この場合にも動力をシステムに追加するように（ディーゼルエンジン又は電気モーターなどの）原動機及び可変容量液圧ポンプによって置換され得る。実際に、本明細書に記述される液圧伝達装置は、一般に、すべての４つの象限にわたる大きい動力フローが必要とされる任意のシステムに適用可能である（「４つの象限」は、いずれかの方向における動きの際にいずれかの方向に負荷を適用し得るシステムを意味する）。
【０１２３】
図７は、複数のチャンバ（図示せず）と、負荷要求に従って高圧流体ストア３０４及び低圧液圧流体リザーバ３０６へのアクチュエータの前記複数の第１チャンバの複数のうちのそれぞれの接続を選択的に制御するように構成された液圧伝達装置３０２とを含むアクチュエータ３００を含むヒーブ補償ウインチのブロック図である。また、液圧伝達装置３０２は、連続的な圧力の範囲内において、前記複数のチャンバの第２チャンバ内の圧力を制御するように構成される。上述の原理に従って、液圧伝達装置は、受け取られた要求に対する第１チャンバの寄与間の差を少なくとも部分的に補償するように第２チャンバ内の圧力を制御するように構成される。この場合、要求は、通常、ウインチによるケーブルの巻取り及び巻出しの速度を変化させるケーブル上における変化する負荷である。ウインチは、アクチュエータに対する動力の正味のフローが存在する用途の一例であることを理解されたい。従って、発電機１５４は、通常、動力をシステムに追加するようにディーゼルエンジン又は電気モーターなどの原動機によって置換され、且つ／又は発電機１７２及び可変容量液圧モーター１７３も、この場合にも動力をシステムに追加するように（ディーゼルエンジン又は電気モーターなどの）原動機及び可変容量液圧ポンプによって置換される。
【０１２４】
図３には、７つの第１チャンバ１０４〜１０８、１４１〜１４４及び単一の第２チャンバ１１０が示されるが、任意の数の第１チャンバ及び第２チャンバが提供され得ることを理解されたい。設計の最良の選択肢は、特定の用途要件に依存する。通常、少なくとも２つの第１チャンバ及び１つの第２チャンバが提供される。
【０１２５】
図３には、チャンバ１４１〜１４４がチャンバ１０４〜１０８と並列状態にあるものとして示されるが、これらは、代わりに直列状態で接続され得ることを理解されたい。
【０１２６】
いくつかの用途では、図３の連続的圧力制御システムのポンプ−モーター１５０、１５２の対の代わりに単一のポンプ−モーター１５０を使用することが可能である。
【０１２７】
いくつかの実施形態では、可変容量ポンプ−モーター１５０、１５２は、可変フロー制御弁によって置換され得、これらの可変フロー制御弁のそれぞれは、第２チャンバ１１０とアキュムレータ１２０又はリザーバ１２２との間の液圧流体のフローを調節するように構成される。
【０１２８】
以上では、線形アクチュエータ１００について記述しているが、液圧伝達装置は、加えて又は代わりに、直接的に又はギアシステムを通して回転出力を生成するために、又は実際に例えばラック及びピニオンシステムを使用して線形出力を生成するために、線形アクチュエータ１００と同様の方式により、その圧力が別個に制御される１つ又は複数のチャンバと、その圧力が連続的な圧力の範囲にわたって制御される１つ又は複数のチャンバとを含む１つ又は複数の回転式アクチュエータを含み得る。
【図１】
2019507857.tif 000003
【図２】
2019507857.tif 000004
【図３】
2019507857.tif 000005
【図４】
2019507857.tif 000006
【図５】
2019507857.tif 000007
【図６】
2019507857.tif 000008
【図７】
2019507857.tif 000009
【国際調査報告】
2019507857.tif 000010
2019507857.tif 000011
2019507857.tif 000012